(57)【要約】【課題】複数の係止片を備えることでより確実にスラット端部の抜け止めを防止するものでありながら、その係止片がスラットの巻き取り時に支障を来すことがない【解決手段】スラットキャップ８は、スラット６に装着された状態で、スラット端縁６００を覆う側片８１と、側片８１の第２縁部８１１からガイド溝Ｇの奥行方向に延びる底片８３と、底片８３の第１端部８３０からガイドレール２の室外側面部２１に向かって延びる第１係止片８４と、底片８３の第２端部８３１からガイドレール２の室内側面部２０に向かって延びる第２係止片８５と、を備え、側片８１の第２面８１３と底片８３の第１面８３２とによって、スラット巻き取り時に外側に位置するスラット６の第１係止片８４を受け入れる空間Ｓが形成されている。【選択図】図１０
2018003243.tif 000002
【特許請求の範囲】
【請求項１】
ガイドレールの第１面部と第２面部間に形成されたガイド溝に受け入れられたスラット端部に装着されるスラットキャップであって、
前記スラットキャップは、
スラットに装着された状態で、スラット端縁に当接する第１面と、第１面と反対側の第２面と、前記第１面部に対向する第１縁部と、前記第２面部に対向する第２縁部と、を備え、前記スラット端縁を覆う側片と、
前記側片の前記第２縁部から前記ガイド溝の奥行方向に延び、前記側片側の第１端部と、前記側片から離れた側の第２端部と、前記第１面部に対向する第１面と、を備えた底片と、
前記底片の前記第１端部から前記第２面部に向かって延びる第１係止片と、
前記底片の前記第２端部から前記第１面部に向かって延び、前記側片の前記第２面と対向する第２係止片と、
を備え、
前記側片の前記第２面と前記底片の前記第１面とによって、スラット巻き取り時に外側に位置するスラットの第１係止片を受け入れる空間が形成されている、
スラットキャップ。
【請求項２】
前記側片の前記第２面は、前記第２縁部から前記第１縁部へ向かって前記側片の前記第１面側に傾斜する傾斜面である、
請求項１に記載のスラットキャップ。
【請求項３】
スラットキャップが装着されたスラットは、上側スラットとの上側接続部、下側スラットとの下側接続部を備え、
スラットキャップの前記側片は、前記上側接続部の縁部に当接する上側スライド規制部と、前記下側接続部の縁部に当接する下側スライド規制部と、を含んでおり、
前記第１係止片は、前記上側スライド規制部、下側スライド規制部の前記第２面に隣接して、前記底片の上側部位、下側部位の第１端部に形成されており、
前記第２係止片は、前記底片の上下方向の中央部位の第２端部に形成されている、
請求項１、２いずれか１項に記載のスラットキャップ。
【請求項４】
前記第１係止片は、スラットに装着された状態で、スラット端部側に位置する第１面と、スラット端部から遠い側に位置する第２面と、先端面と、を備え、
前記第２係止片は、スラットに装着された状態で、スラット端部側に位置する第１面を備え、
前記第２係止片の前記第１面は、前記側片の前記第２面と前記底片の前記第１面と共に、スラット巻き取り時に外側に位置するスラットの第１係止片を受け入れる前記空間を形成しており、
前記空間に前記第１係止片が受け入れられた状態では、前記第１係止片の前記第２面と、前記第２係止片の前記第１面が対向するようになっており、
前記第１係止片の前記第２面と前記先端面との角部は曲面あるいは傾斜面となっている、
請求項１〜３いずれか１項に記載のスラットキャップ。
【発明の詳細な説明】
【技術分野】
【０００１】
本発明は、シャッターカーテンのスラット端部に装着されるスラットキャップに関するものである。
【背景技術】
【０００２】
窓シャッター等のシャッターカーテンを構成するスラット端部に、スラットの横ずれ防止機能及び耐風フック機能を備えた部品（以下、「スラットキャップ」と呼ぶ）を設ける場合がある。
【０００３】
例えば、特許文献１はシャッターカーテンの抜け止め構造に係り、スラットに対する固着部、ガイドレールと係合する係合凹溝（耐風フック機能）、スラット端部の突き当て部位（スラットの横ずれ防止機能）を備えたフック片が開示されている。特許文献１に開示されたフック片は、ガイドレールの屋外側側壁の内壁に設けた凸条に係合するものである。
【０００４】
シャッターカーテンの抜け止め構造のフック片の構成は、ガイドレールの内壁の構成（被係合部）に依存し得るものではあるが、一般に、スラット端部がガイド溝から抜け出難い構成であることが要求される。このためには、フック片が複数箇所で被係合部に係止することが考えられるが（例えば、特許文献２）、フック片の構成が複雑となった場合には、スラットが巻き取られる時にフック片同士が邪魔にならないことが要求される。
【特許文献１】特開２００２−２０１８７６
【特許文献２】特許第３５９６１４１号
【発明の開示】
【発明が解決しようとする課題】
【０００５】
本発明は、複数の係止片を備えることでより確実にスラット端部の抜け止めを防止するものでありながら、その係止片がスラットの巻き取り時に支障を来すことがないようなスラットキャップの構造を提供することを目的とする。
【課題を解決するための手段】
【０００６】
かかる課題を解決するべく本発明が採用した技術手段は、
ガイドレール（２）の第１面部（２０）と第２面部（２１）間に形成されたガイド溝（Ｇ）に受け入れられたスラット端部に装着されるスラットキャップ（８）であって、
前記スラットキャップ（８）は、
スラット（６）に装着された状態で、スラット端縁（６００）に当接する第１面（８１２）と、第１面（８１２）と反対側の第２面（８１３）と、前記第１面部（２０）に対向する第１縁部（８１０）と、前記第２面部（２１）に対向する第２縁部（８１１）と、を備え、前記スラット端縁（６００）を覆う側片（８１）と、
前記側片（８１）の前記第２縁部（８１１）から前記ガイド溝（Ｇ）の奥行方向に延び、前記側片（８１）側の第１端部（８３０）と、前記側片（８１）から離れた側の第２端部（８３１）と、前記第１面部（２０）に対向する第１面（８３２）と、を備えた底片（８３）と、
前記底片（８３）の前記第１端部（８３０）から前記第２面部（２１）に向かって延びる第１係止片（８４）と、
前記底片（８３）の前記第２端部（８３１）から前記第１面部（２０）に向かって延び、前記側片（８１）の前記第２面（８１３）と対向する第２係止片（８５）と、
を備え、
前記側片（８１）の前記第２面（８１３）と前記底片（８３）の前記第１面（８３２）とによって、スラット巻き取り時に外側に位置するスラット（６）の第１係止片（８４）を受け入れる空間（Ｓ）が形成されている、
スラットキャップ、である。
【０００７】
１つの態様では、前記側片（８１）の前記第２面（８１３）は、前記第２縁部（８１１）から前記第１縁部（８１０）へ向かって前記側片（８１）の前記第１面（８１２）側に傾斜する傾斜面である。
１つの態様では、前記第１係止片（８４）は、前記底片（８３）の第１端部（８３０）において、前記ガイドレール（２）の前記第２面部（２１）に向かって延びている。
【０００８】
１つの態様では、スラットキャップ（８）が装着されたスラット（６）は、上側スラット（６）との上側接続部（上側スラット６の被係止部６３に係止する係止部６２）、下側スラット（６）との下側接続部（下側スラット６の係止部６２が係止する被係止部６３）を備え、
スラットキャップ（８）の前記側片（８１）は、前記上側接続部の縁部に当接する上側スライド規制部（８２）と、前記下側接続部の縁部に当接する下側スライド規制部（８２）と、を含んでおり、
前記第１係止片（８４）は、前記上側スライド規制部（８２）、下側スライド規制部（８２）の前記第２面（８１３）に隣接して、前記底片（８３）の上側部位、下側部位の第１端部（８３０）に形成されており、
前記第２係止片（８５）は、前記底片（８３）の上下方向の中央部位の第２端部（８３１）に形成されている。
【０００９】
１つの態様では、前記スラットキャップ（８）は、スラット端部への装着部（８０）を備えている。
１つの態様では、ガイドレール（２）の第１面部（２０）と第２面部（２１）には、消音材（スライドバー２７、２８）が装着されるポケット部が対向状に突設されており、
前記第１係止片（８４）、前記第２係止片（８５）は、ポケット部を形成する金属製の片（２４、２６）に係止可能となっている。
１つの態様では、前記第１係止片（８４）は、室外側に向かって延びる室外側係止片であり、前記第２係止片（８５）は、室内側に向かって延びる室内側係止片である。  
１つの態様では、前記第１係止片（８４）は、スラットに装着された状態で、スラット端部側に位置する第１面（８４０）と、スラット端部から遠い側に位置する第２面（８４１）と、先端面（８４２）と、を備え、
前記第２係止片（８５）は、スラットに装着された状態で、スラット端部側に位置する第１面（８５０）を備え、
前記第２係止片（８５）の前記第１面（８５０）は、前記側片（８１）の前記第２面（８１３）と前記底片（８３）の前記第１面（８３２）と共に、スラット巻き取り時に外側に位置するスラットの第１係止片（８４）を受け入れる前記空間（Ｓ）を形成しており、
前記空間（Ｓ）に前記第１係止片（８４）が受け入れられた状態では、前記第１係止片（８４）の前記第２面（８４１）と、前記第２係止片（８５）の前記第１面（８５０）が対向するようになっており、
前記第１係止片（８４）の前記第２面（８４１）と前記先端面（８４２）との角部は曲面（８４３）あるいは傾斜面となっている。
【発明の効果】
【００１０】
本発明に係るスラットキャップは、ガイドレールの第１面部に向かって延びる第１係止片と、ガイドレールの第２面部に向かって延びる第２係止片と、を備えており、スラット端部がガイド溝からより抜け出にくい構造となっている。
一方、前記側片の前記第２面と前記底片の前記第１面とによって、スラット巻き取り時に外側に位置するスラットの第１係止片を受け入れる空間が形成されているので、スラット巻き取り時に突出する第１係止片が支障を来すことが無いようになっている。
【００１１】
前記側片の前記第２面を、前記第２縁部から前記第１縁部へ向かって前記側片の前記第１面側に傾斜する傾斜面としたものでは、スラット巻き取り時における前記空間への第１係止片の受け入れをよりスムーズに行うことができる。
特に、前記空間の一部が、前記側片の前記第２面と前記底片の前記第１面と前記第２係止片の第１面とによって形成される場合に、前記側片の第１縁部と前記第２係止片の先端間の溝幅をより大きくすることができ、前記第１係止片が前記側片の第１縁部に引っ掛かることを可及的に防止する。
さらに、前記第１係止片の前記第２面（スラットが重なった時に、相手方のスラットの第２係止片の第１面と対向する側の面）と前記先端面との角部を曲面あるいは傾斜面から形成したものでは、スラット巻き取り時に第２係止片の第１面の先端と第１係止片との引っ掛かりが防止され、スラット巻き取り時における前記空間への第１係止片の受け入れをよりスムーズに行うことができる。
【図面の簡単な説明】
【００１２】
【図１】シャッター装置（開口部全閉状態）の正面図である。
【図２】シャッターカーテンの背面図である。
【図３】巻取シャフトから繰り出された状態のシャッターカーテンを示す側面図である。
【図４】図５（Ａ）に示すスラットキャップをＡ方向から見た図であり、（Ｂ）は図４（Ａ）におけるＢ−Ｂ断面図、（Ｃ）は図４（Ａ）におけるＣ−Ｃ断面図である。
【図５】（Ａ）はスラットキャップの平面図であり、（Ｂ）は図５（Ａ）におけるスラットキャップをＢ方向から見た図であり、（Ｃ）は図５（Ａ）におけるスラットキャップを底側から見た図であり、（Ｄ）は図５（Ａ）におけるスラットキャップをＤ方向から見た図であり、（Ｅ）は図５（Ａ）におけるＥ−Ｅ断面図、である。
【図６】スラット端部にスラットキャップが装着された状態を示す図である。
【図７Ａ】巻取シャフトに巻き取られたスラットが巻層を形成した状態を説明する図である。
【図７Ｂ】上図は、長さ方向両端にスラットキャップを備えたスラットの正面図、下図は、巻き取り時にスラットが重なった状態を示す図である。
【図８】図７Ｂ下図の右側端部の部分拡大図である。なお、図中の第１係止片８４の先端の角部と傾斜状の第２面８１３との当接部位において、第２面８１３が図を貫く方向に湾曲していることに留意されたい。
【図９】スラット端部がガイドレール内に受け入れられた状態を示す平面図である。
【図１０】図９の状態からスラットがガイドレールから抜け出る方向に移動した状態を示す平面図である。
【発明を実施するための形態】
【００１３】
図１はシャッター装置の正面図であって、シャッター装置は、建物開口部の上方に位置して、外壁に持ち出し状に取り付けられたシャッターケース１と、建物開口部の幅方向両側に位置して外壁に対して持ち出した位置に設けられた左右のガイドレール２と、左右のガイドレール２を持ち出し状に支持する支持枠３（図９、図１０参照）と、シャッターケース１内に設けた巻取シャフト４（図３参照）と、上端が巻取シャフト４に連結されており、巻取シャフト４に巻き取られ／繰り出されることで、幅方向両端部がガイドレール２に案内されながら昇降して建物開口部を開閉するシャッターカーテン５（図２、図３参照）と、を備えている。なお、シャッター装置の種類は限定されないが、１つの態様例では、窓シャッターである。
【００１４】
図２、図３に示すように、シャッターカーテン５は、開口幅方向に延びる長尺状のスラット６を高さ方向に連結して形成されており、最上位のスラット６には、当該最上位のスラット６と巻取シャフト４とを連結する吊元６´が設けてあり、最下位のスラット６の下端には座板７が設けてある。シャッターカーテン５を形成する複数枚のスラット６のうちの所定のスラット６（高さ方向に１つおきのスラット６）の幅方向両端部には、スラットキャップ８が取り付けられている。なお、本明細書において、「上」、「下」、「高さ」という表現は、主として垂直姿勢にあるシャッターカーテン５を基準とした相対的な表現である点に留意されたい。
【００１５】
図６に示すように、スラット６は、室内側表面部６０と、室外側表面部６１と、から中空状に形成されたスラット本体と、スラット本体の上側に形成されたフック状の係止部６２と、スラット本体の下端を凹成することで形成された被係止部６３と、を備えている。図示の形態では、室内側表面部６０及び室外側表面部６１は室内側に緩やかに膨出する湾曲面となっている。係止部６２は、スラット本体の上端の室内側表面部６０寄りに形成された立ち上がり部６２０と、立ち上がり部６２０の上端から室外側に向かって一体形成された湾曲部６２１とからなる。被係止部６３は、スラット本体の下端に形成された凹部６４を形成する凹面の室外側部位の下端に位置して、室外側から室内側に向かって上向き傾斜状に延びるように形成されている。スラット６の下端部位において、被係止部６３の先端と、凹部６４を形成する凹面の室内側部位の下端と、の間に開口溝６５が形成されている。下側に位置するスラット６の係止部６２と上側に位置するスラット６の被係止部６３とが係止状態にある時に、係止部６２の湾曲部６２１は凹部６４内に位置して、被係止部６３に係止しており、係止部６２の立ち上がり片６２０は、開口溝６５を挿通している。
【００１６】
上下に隣接する２枚のスラット６は、上側に位置するスラット６の下端の被係止部６３に、下側に位置するスラット６の上端の係止部６２を係止させることで、互いに回動可能に連結される。被係止部６３に対する係止部６２の係止は、一方のスラット６の被係止部６３に他方のスラット６の係止部６２をスラット長さ方向に差し込むようにして行われる。シャッターカーテン５を構成するある１枚のスラット６に着目した時に、当該スラット６の上端に形成された係止部６２が、上側に位置する上側スラット６の下端に形成された被係止部６３に係止することで当該スラット６と上側スラット６が接続され、当該スラット６の下端に形成された被係止部６３に、下側に位置する下側スラット６の上端に形成された係止部６２が係止することで当該スラット６と下側スラット６が接続される。すなわち、シャッターカーテン５を構成する各スラット６は上側接続部（上側スラット６の被係止部６３に係止する係止部６２）と下側接続部（下側スラット６の係止部６２が係止する被係止部６３）を備えている。
【００１７】
図９、図１０に示すように、ガイドレール２は、室内側面部２０と、室外側面部２１と、底部２２と、から断面視略コ字形状を備え、室内側面部２０と室外側面部２１との間に形成される空間がスラット６の幅方向端部を受け入れて案内するガイド溝Ｇ（図９参照）となっている。１つの態様では、ガイドレール２は、金属製（本実施形態では、アルミニウム製）である。ガイド溝の幅寸法は、スラット６の厚さ寸法Ｔ（図９参照）よりも大きい寸法となっている。スラット６の厚さ寸法Ｔは、スラット６の室内側表面部６０において最も室内側に位置する部位と、室外側表面部６１において最も室外側に位置する部位と、の間の水平距離によって決定される。
【００１８】
室内側面部２０の内面、室外側面部２１の内面には、対向状にポケットが形成されている。室内側面部２０のポケットは、断面視Ｌ形状の第１片２３（建物開口部に近い側）、第２片２４（ガイドレール２の底部２２に近い側）間に形成されており、室外側面部２１のポケットは、断面視Ｌ形状の第１片２５（建物開口部に近い側）、第２片２６（ガイドレール２の底部２２に近い側）間に形成されている。室内側面部２０のポケットには消音材としてのスライドバー２７が装着されており、室外側面部２１のポケットには消音材としてのスライドバー２８が装着されている。スライドバー２７、２８は断面視凸状であり、突出部がポケットよりもガイド溝内に突出して位置している。したがって、図示の態様では、対向するスライドバー２７、２８間の距離が、スラット６の厚さ寸法Ｔよりも大きい寸法となっている。
【００１９】
シャッターカーテン５を構成する複数枚のスラット６において、所定のスラット６の長さ方向端部にはラットキャップ８が設けてある。本実施形態では、図２、図３に示すように、スラットキャップ８は１枚おきにスラット６に設けてある。
【００２０】
スラットキャップ８は、スラット端部への装着部８０を備えており、装着部８０をスラット端部に取り付けることで、スラットキャップ８がスラット端部に装着される。装着部８０は、スラット６の中空部の断面形状に対応する断面形状を有しており、装着部８０をスラット６の長さ方向端部から中空部に嵌入することで、スラットキャップ８がスラット６の長さ方向端部に固定される。より具体的には、装着部８０は、スラット６の室内側表面部６０の内面に摺接する室内側面８００、スラット６の室外側表面部６１の内面に摺接する室外側面８０１、上端面８０２、下端面８０３を備えている。図示の態様では、室内側面８００は、基端側の細幅部と複数の突条部とからなり、突条の先端側が傾斜状のガイド部となっている（図５（Ａ）、（Ｂ）参照）。図示の態様では、室内側面８００、室外側面８０１は湾曲面である。
【００２１】
スラットキャップ８の装着部８０の基端側には、スラットキャップ８がスラット端部に装着された時に、スラット端縁６００を覆う側片８１が形成されている。側片８１は、スラットキャップ８がスラット端部に装着された状態において、ガイドレール２の室内側面部２０に対向する縁部８１０と、ガイドレール２の室外側面部２１に対向する縁部８１１と、スラット端縁６００に当接する第１面８１２と、第１面８１２の反対側の第２面８１３と、を有しており、装着部８０の断面寸法よりも大きい寸法を有している。図５（Ｄ）に示すように、縁部８１０、８１１間の距離は、装着部８０の室内側面８００、室外側面８０１間の距離よりも僅かに大きい。図示の態様では、縁部８１０、８１１は湾曲している（図５（Ｄ）、図６参照）。
【００２２】
側片８１の第１面８１２は、垂直姿勢にあるスラット６の長さ方向左右の垂直状のスラット端縁６００に当接するように垂直面となっている。側片８１は、装着部８０よりも大きい高さ寸法を有し、装着部８０よりも高さ方向に上下に延びており、装着部８０よりも上側に位置する上側部位と、装着部８０よりも下側に位置する下側部位が、スラット６の長さ方向の移動を規制するスライド規制部８２、８２となっており、スライド規制部８２の垂直状の第１面８１２がスラット端縁６００（上側接続部、下側接続部に対応する部位）に当接する。側片８１の第２面８１３は、縁部８１１（底片８３の第１面８３２）から縁部８１０へ向かって第１面８１２側に傾斜する傾斜面である。
【００２３】
側片８１には、縁部８１１側に位置して、ガイド溝Ｇの奥行方向に装着部８０と反対側に延びる底片８３が形成されている。底片８３は、側片８１に近い側の第１端部８３０と、側片８１から遠い側の第２端部８３１と、を備えている。底片８３は、スラットキャップ８が装着された状態で、ガイドレール２の室内側面部２０に対向する第１面８３２と、ガイドレール２の室外側面部２１に対向する第２面８３３と、を備えている。図示の態様では、底片８３は、中央の幅広部８３Ａと、上下の幅狭部８３Ｂと、を備えており、第２端部８３１は、中央の第１部分８３１０、上下の第２部分８３１１、第１部分８３１０と第２部分８３１１とを結ぶ傾斜状の第３部分８３１２、からなる（図５（Ａ）参照）。図示の態様では、第１面８３２、第２面８３３は、湾曲面である（図６参照）。
【００２４】
底片８３には、上下の幅狭部８３Ｂの第１端部８３０側に位置して、第２面８３３からガイドレール２の室外側面部２１に向かって延びる第１係止片８４が形成されている。第１係止片８４は、スラットキャップ８がスラット端部に装着された状態において、スラット端部に近い側の第１面（係止面）８４０と、スラット端部から遠い側の第２面８４１と、ガイドレール２の室外側面部２１に対向する先端面８４２と、を備えている（図４（Ｂ）、図８参照）。第２面８４１と先端面８４２との角部は曲面８４３となっている。なお、第２面８４１と先端面８４２との角部を曲面に代えて傾斜面から形成してもよい。第１係止片８４の先端面８４２は、スラット６の室外側表面部６１において最も室外側に位置する部位よりも、室外側に突出している（図６、図９参照）。
【００２５】
第１係止片８４は、スラット端部がガイド溝Ｇから抜け出るように移動した時に、室外側面部２１のポケットを形成する金属製（アルミニウム製）の第２片２６に係止し、樹脂製のスライドバー２８に当接することがないような突出寸法に設計されている（図１０参照）。図９に示すように、スラット端部がガイド溝Ｇ内に受け入れられた状態（シャッターカーテン５に面圧が作用しない状態）において、第１係止片８４の先端部位は、ガイドレール２の室外側面部２１の内面に突設されたポケット部を形成する第２片２６に対向（平面視においてオーバーラップしている）している。図９の状態からスラット６が室内側に変位して、スラット６の室内側表面部６０がガイドレール２の室内側面部２０の内面に突設されたポケット部に装着されたスライドバー２７に当接した状態でも、第１係止片８４の先端部位は、ガイドレール２の室外側面部２１の内面に突設されたポケット部を形成する第２片２６に対向（平面視においてオーバーラップしている）している。
【００２６】
底片８３には、中央の幅広部８３Ａの第２端部８３１側（第１部分８３１０）に位置して、第１面８３２からガイドレール２の室内側面部２０に向かって延びる第２係止片８５が形成されている。第２係止片８５は、スラットキャップ８がスラット端部に装着された状態において、スラット端部に近い側の第１面（係止面）８５０を備えている。第２係止片８５の先端は、スラット６の室内側表面部６０においての最も室内側に位置する部位よりも、室内側に突出している（図６、図９参照）。第２係止片８５は、スラット端部がガイド溝Ｇから抜け出るように移動した時に、室内側面部２０のポケットを形成する金属製（アルミニウム製）の第２片２４に係止し、樹脂製のスライドバー２７に当接することがないような突出寸法に設計されている。例えば、図１０の状態からスラット６がさらに回転したような場合には、第２係止片８５が第２片２４に係止する。
【００２７】
側片８１の第２面８１３と底片８３の第１面８３２とによって、スラット６の巻き取り時にスラット６同士が重なった時に、外側に位置するスラット６の第１係止片８４を受け入れる空間Ｓ（側片８１の高さ方向中央部位においては、側片８１の第２面８１３と、底片８３の第１面８３２と、第２係止片８５の第１面８５０とによって形成された溝部となっている）が形成されている。底片８３の第１面８３２において、上下の幅狭部８３Ｂの幅寸法は、第１係止片８４の厚さ寸法と略同じであり（幅狭部８３Ｂの第２面８３３側に第１係止片８４が突成されている）、側片８１の第２面８１３と第２係止片８５の第１面８５０間に形成された幅広部８３Ａの幅寸法は、１係止片８４の厚さ寸法よりも大きい。上述のように、側片８１の第２面８１３は、第２縁部８１１から第１縁部８１０へ向かって側片８１の第１面８１２側に傾斜する傾斜面である。第２係止片８５の第１面８５０は垂直面である。側片８１の第２面８１３を傾斜面とすることで、空間Ｓの縁部８１０側部位を大きく取ることができ、スラット巻き取り時の第１係止片８４の受け入れを容易にする一方、側片８１の肉厚を縁部８１１に向かって増大させることができ、側片８１の強度を高めることができる。また、第１係止片８４の第２面８４１（スラット６が重なった時に、相手方のスラット６の第２係止片８５の第１面８５０と対向する側の面）と先端面８４２との角部は曲面８４３となっており、スラット巻き取り時に第２係止片８５の第１面８５０の先端との引っ掛かりを防止している。
【００２８】
このように構成されたスラットキャップ８が装着されたスラット６から形成されるシャッターカーテン５が建物開口部を閉鎖した状態において、シャッターカーテン５に面圧が作用して図９の状態からスラット端部がガイド溝Ｇから抜け出る方向に移動すると、図１０に示すように、第１係止片８４は、室外側面部２１のポケットを形成する金属製（アルミニウム製）の第２片２６に係止し、スラット端部が抜け出る方向の移動を規制する。図１０の状態からスラット６がさらに回転したような場合には、第２係止片８５が室内側面部２０のポケットを形成する金属製（アルミニウム製）の第２片２４に係止し、スラット端部の移動を規制する。このように、本実施形態に係るスラットキャップ８が装着されたスラット６から形成されるシャッターカーテン５は十分な耐風強度を発揮することができる。
【００２９】
シャッターカーテン５が巻き取られる時には、シャッターカーテン５は巻取シャフト４上に複数層を形成するように巻装され、内側の巻を形成するスラット６上に、外側の巻を形成するスラット６が載ることになる。この時、側片８１の第２面８１３と底片８３の第１面８３２とによって、スラット巻き取り時に外側に位置するスラット６の第１係止片８４を受け入れる空間Ｓが形成されているので、スラット巻き取り時に突出する第１係止片８４が巻き取りに支障を来すことが無いようになっている。さらに、側片８１の第２面８１３は、第２縁部８１１から第１縁部８１０へ向かって側片８１の第１面８１２側に傾斜する傾斜面となっているので、スラット巻き取り時における空間Ｓへの第１係止片８４の受け入れをよりスムーズに行うことができる。特に、空間Ｓの一部が、側片８１の第２面８１３と底片８３の第１面８３２と第２係止片８５の第１面８５０とによって形成される場合に、側片８１の第１縁部８１０と第２係止片８５の先端間の溝幅をより大きくすることができ、第１係止片８４が側片８１の第１縁部８１０に引っ掛かることを可及的に防止する。
【００３０】
ここで、第１係止片８４は、第１面８４０の先端側部位（第１面８４０と先端面８４２との角部）が第２片２６に係止することから、この角部を曲面や傾斜面から係止することは望ましくなく、実施形態では直角となっている。スラット巻き取り時には、この角部が、側片８１の第２面８１３（傾斜面）に当たることで、第１係止片８４をスムーズに空間Ｓに受け入れるようになっている。同様に、第２係止片８５は、第１面８５０の先端側部位が第２片２４に係止することから、第１面８５０の先端側の角部を曲面や傾斜面から係止することは望ましくなく、実施形態では直角となっている。スラット巻き取り時に、この角部が、第１係止片８４と接触したとしても、第１係止片８４の先端側の曲面８４３と接触するようにしたので、第１係止片８４が空間Ｓにスムーズに受け入れられるようになっている。
【符号の説明】
【００３１】
２  ガイドレール
２０  室内側面部（第１面部）
２１  室外側面部（第２面部）
Ｇ  ガイド溝
６  スラット
６００  スラット端縁
８  スラットキャップ
８０  装着部
８１  側片
８１０  縁部（第１縁部）
８１１  縁部（第２縁部）
８１２  第１面
８１３  第２面
８２  スライド規制部
８３  底片
８３０  第１端部
８３１  第２端部
８３２  第１面
８３３  第２面
８４  第１係止片
８４０  第１面
８４１  第２面
８４２  先端面
８４３  曲面
８５  第２係止片
８５０  第１面
Ｓ  空間
【図１】
2018003243.tif 000003
【図２】
2018003243.tif 000004
【図３】
2018003243.tif 000005
【図４】
2018003243.tif 000006
【図５】
2018003243.tif 000007
【図６】
2018003243.tif 000008
【図７Ａ】
2018003243.tif 000009
【図７Ｂ】
2018003243.tif 000010
【図８】
2018003243.tif 000011
【図９】
2018003243.tif 000012
【図１０】
2018003243.tif 000013